(57)【要約】【課題】画像表示部側に通信アンテナを搭載し、この画像表示部が装置本体部に収納された状態であっても、受信感度を維持することができる画面部収納型機器及び車載用情報機器を提供する。【解決手段】前面に操作パネル３０が取り付けられた装置本体部１０と、この装置本体部１０の前面から画面２１を下側にして引き出し可能に収納される画像表示部２０とを備えた画面部収納型機器において、外部と通信可能な無線通信手段を備え、画像表示部２０の引き出し方向の先端部２０ａに、無線通信手段用の通信用アンテナ１１０を設けた。【選択図】図４
2009119916.tif 000002
【特許請求の範囲】
【請求項１】
前面に操作パネルが取り付けられた装置本体部と、この装置本体部の前面から画面を下側にして引き出し可能に収納される画像表示部とを備えた画面部収納型機器において、
外部と通信可能な無線通信手段を備え、前記画像表示部の引き出し方向の先端部に、前記無線通信手段用の通信用アンテナを設けたことを特徴とする画面部収納型機器。
【請求項２】
前記画像表示部には、この画像表示部の背面側を上側に向けた状態で前記通信用アンテナの上方を覆う板金製の背面板が設けられ、この背面板には、前記通信用アンテナの設置投影面積よりも大きな切り欠きが形成されていることを特徴とする請求項１に記載の画面部収納型機器。
【請求項３】
前記通信用アンテナは、前記画像表示部の液晶パネル用の基板に設けられたパターンアンテナであることを特徴とする請求項１または請求項２に記載の画面部収納型機器。
【請求項４】
前記操作パネルを非金属材料で形成したことを特徴とする請求項１から請求項３のいずれか１つに記載の画面部収納型機器。
【請求項５】
前記無線通信手段は、ブルートゥースを利用した近距離ネットワークであることを特徴とする請求項１から請求項４のいずれか１つに記載の画面部収納型機器。
【請求項６】
前面に操作パネルが取り付けられた装置本体部と、この装置本体部の前面から画面を下側にして引き出し可能に収納される画像表示部とを備えた車載用情報機器において、
外部と通信可能な無線通信手段を備え、前記画像表示部の引き出し方向の先端部に、前記無線通信手段用の通信用アンテナを設けたことを特徴とする車載用情報機器。
【請求項７】
前記画像表示部には、この画像表示部の背面側を上側に向けた状態で前記通信用アンテナの上方を覆う板金製の背面板が設けられ、この背面板には、前記アンテナの設置投影面積よりも大きな切り欠きが形成されていることを特徴とする請求項６に記載の車載用情報機器。
【請求項８】
前記通信用アンテナは、前記画像表示部の液晶パネル用の基板に設けられたパターンアンテナであることを特徴とする請求項６または請求項７に記載の車載用情報機器。
【発明の詳細な説明】
【技術分野】
【０００１】
本発明は、装置本体に対し画像表示部が収納可能であって、通信アンテナを装備した画面部収納型機器及び車載用情報機器に関する。
【背景技術】
【０００２】
自動車等の移動体には、ＤＶＤやカーナビゲーションシステムなどの情報通信機器が搭載されたものがある。これらの機器は、前面に操作パネルが取り付けられた装置本体部と、この装置本体部の内部に収納され、液晶パネル等で構成された画面を有する画像表示部とを備えている。この画像表示部は、例えば、画面が下側に向けて装置本体内部に収納されており、使用時にはこの画像表示部を手前側に引き出すと共に、この画像表示部を上方に向けて立てる（起こす）ことにより、利用者が画面を見ることができるようになっている。（例えば、特許文献１参照）。
また、近年では、カーナビゲーションシステムと携帯電話とを無線接続（例えば、ブルートゥース（登録商標）など）するハンズフリー通話を可能とした情報通信機器なども利用されている。このような情報通信機器では、無線信号を受信するための通信アンテナが搭載されることになる。
【特許文献１】特開平６−２４７２１８号公報
【発明の開示】
【発明が解決しようとする課題】
【０００３】
上述した通信アンテナは、上述した画像表示部を装置本体部の内部に収納した場合（画面を使用していない場合）であっても受信できることが必要となる。また、受信感度を高めるために、車室内側に臨む位置に設置することが好ましい。そのために、通信アンテナを装置本体部の操作パネル面に設けることが考えられる。しかしながら、操作ボタン等の配置に制限が課され、設計自由度が制限されることになるとともに、操作パネルの表面積を大きくしなければならず、省スペース化を図ろうとする現状としては現実的でない。
【０００４】
本発明は、上述した事情に鑑みてなされたものであり、画像表示部側に通信アンテナを搭載し、この画像表示部が装置本体部に収納された状態であっても、受信感度を維持することができる画面部収納型機器及び車載用情報機器を提供することを目的とする。
【課題を解決するための手段】
【０００５】
本発明では、前面に操作パネルが取り付けられた装置本体部と、この装置本体部の前面から画面を下側にして引き出し可能に収納される画像表示部とを備えた画面部収納型機器において、外部と通信可能な無線通信手段を備え、前記画像表示部の引き出し方向の先端部に、前記無線通信手段用の通信用アンテナを設けたことを特徴とする。
また、画面部収納型機器であって、前記画像表示部には、この画像表示部の背面側を上側に向けた状態で前記通信用アンテナの上方を覆う板金製の背面板が設けられ、この背面板には、前記アンテナの投影面積よりも大きな切り欠きが形成されていてもよい。
【０００６】
さらに、画面部収納型機器であって、前記通信用アンテナは、前記画像表示部の液晶パネル用の基板に設けられたパターンアンテナであってもよい。
また、画面部収納型機器であって、前記操作パネルを非金属材料で形成することもできる。
さらにまた、画面部収納型機器であって、前記無線通信手段は、ブルートゥースを利用した近距離ネットワークで構成することもできる。
【０００７】
他方、前面に操作パネルが取り付けられた装置本体部と、この装置本体部の前面から画面を下側にして引き出し可能に収納される画像表示部とを備えた車載用情報機器において、外部と通信可能な無線通信手段を備え、前記画像表示部の引き出し方向の先端部に、前記無線通信手段用の通信用アンテナを設けたことを特徴とする。
【０００８】
また、車載用情報機器であって、前記画像表示部には、この画像表示部の背面側を上側に向けた状態で前記通信用アンテナの上方を覆う板金製の背面板が設けられ、この背面板には、前記アンテナの投影面積よりも大きな切り欠きが形成されていてもよい。
さらに、車載用情報機器であって、前記通信用アンテナは、前記画像表示部の液晶パネル用の基板に設けられたパターンアンテナであってもよい。
【発明の効果】
【０００９】
本発明によれば、外部と通信可能な無線通信手段を備え、前記画像表示部の引き出し方向の先端部に、前記無線通信手段用の通信用アンテナを設けているので、画像表示部を引き出した状態又は収納した状態のいずれの状態であっても、無線用の通信用アンテナを車室内側に臨む位置に取り付けることができ、このアンテナの受信感度を維持することができる。
【発明を実施するための最良の形態】
【００１０】
以下、本発明の実施の形態に係る画面部収納型機器について、図面を参照しながら説明する。なお、本実施の形態では、画面部収納型機器の一例として、自動車のインストルメントパネルに取り付けられる車載用情報機器（カーナビゲーションシステム、ＤＶＤ再生システム、地上デジタルＴＶなどの機能を有する機器）について説明する。
【００１１】
図１は、本発明の実施の形態に係る車載用情報機器の全体斜視図、図２は、図１の状態から画像表示部を手前側に引き出して立ち上げた状態を示す斜視図を示す。また、図３は、車載用情報機器を正面（手前側の前面）から見た図である。
【００１２】
車載用情報機器１は、図１及び図２に示すように、機器の外側を構成する装置本体部１０と、この装置本体部１０から引き出し可能に設けられた画像表示部２０と、装置本体部１０の前面であって、画像表示部２０の下側に取り付けられた操作パネル３０と、この車載用情報機器１が自動車のインストルメントパネルＰの取付開口部Ｑに取り付けられたときに、この取付開口部Ｑの縁部を車室内側から覆う化粧パネル４０とを備えている。
【００１３】
装置本体部１０は、その外側部分が板金加工によって形成された略直方体の形状をなしており、いわゆる１ＤＩＮサイズ（縦５０ｍｍ×横１７８ｍｍ）の大きさに形成されている。すなわち、インストルメントパネルＰの表面積が狭いものであっても、取付可能な大きさに形成されており、図１に示すように、インストルメントパネルＰの取付開口部Ｑに挿入されて図示しない取付金具等によって固定されるようになっている。
この装置本体部１０の内部には、上述したカーナビゲーションシステム等の機能を発揮するための機器が搭載される他、例えば、携帯電話とブルートゥースを用いて無線通信することができるハンズフリー通話を可能とした情報通信機器（無線通信手段）などが搭載されている。この、ハンズフリー通話とは、例えば、ナビゲーション画面のタッチパネルによって携帯電話の電話番号をダイレクトに入力したり、携帯電話の電話帳とのデータ交換を可能にしたものである。
【００１４】
画像表示部２０は、図２に示すように、所定の厚みを有する略平板状に形成されており、一方の平面には、液晶表示画面２１が設けられている。この画像表示部２０は、車載用情報機器１が使用されていない状態（図１に示す状態）では、装置本体部１０の内部に液晶表示画面２１が下側に向けられて収納される。他方、使用するときには、この画像表示部２０が液晶表示画面２１を下側に向けた姿勢のまま手前側（図１の矢印Ａ方向）に引き出された後、図示しないヒンジ部を中心に上側に向けて回動し、液晶表示画面２１を利用者側に向けた状態（図２に示すように、画像表示部２０を起立させた状態）となる。また、画像表示部２０を収納するときは、その逆の動作により収納される。
また、画像表示部２０の引き出し方向における先端部２０ａは、図１に示すように、画像表示部２０が収納された状態で、装置本体部１０よりも手前側に位置するようになっている。この先端部２０ａには、詳細は後述する通信用アンテナが配置されている。
【００１５】
操作パネル３０は、図３に示すように、意匠性を考慮したデザインが取り入れられており、この操作パネル３０の表面である操作面には、車載用情報機器１の各種機能を操作可能な複数の操作ボタン３１、ＣＤまたはＤＶＤ等が挿入及び取り出し可能なディスク挿入口３２などが配列されている。
また、操作パネル３０の左側には、画像表示部２０を引き出すための引き出しボタン３３が配置されている。利用者がこの引き出しボタン３３を押圧操作すると、装置本体部１０の内部に設けられた駆動機構（図示せず）が作動し、画像表示部２０の上述した一連の引き出し動作が自動的に行われるようになっている。
【００１６】
図４は、図３のＡ−Ａ断面であって、車載用音響機器の前側部分の断面図である。また、図５は、図４に示す画像表示部２０の先端部２０ａの拡大断面図である。なお、以下の説明で使用する画像表示部２０の左右、前後、背面等の向きや方向は、画像表示部２０の液晶表示画面２１を正面から見たときのものとする。
【００１７】
画像表示部２０の外側部は、図４に示すように、背面板２２と、前面パネル２３と、側面パネル２４とで構成され、これらのパネルを組み立てることによって画像表示部２０の前面に位置する液晶表示画面２１を支持している。
【００１８】
背面板２２は、画像表示部２０の構造強度を確保するために、鋼板を加工して製作されたものであり、画像表示部２０の背面側の全体に亘って設けられている。この背面板２２の先端部２２ａには、図１及び図４、図５に示すように、切り欠き１００が形成されている。なお、この切り欠き１００の詳細は後述する。
【００１９】
前面パネル２３は、樹脂等の非金属材料で成形されており、液晶表示画面２１の外縁部を覆うように取り付けられている。また、側面パネル２４についても、樹脂等の非金属材料で成形されており、画像表示部２０の先端および側面を覆っている。
すなわち、この画像表示部２０の先端部２０ａには、鋼板を使用する背面板２２以外の部品は、全て樹脂等の非金属材料が使用されている。
【００２０】
一方、画像表示部２０の内側には、図４に示すように、液晶表示画面２１を構成する保護パネル２５及び液晶パネル２６と、この液晶パネル２６の背面側に位置し、液晶パネル２６に表示される色彩等を制御する液晶パネル用基板２７とが設けられている。この液晶パネル２６は、その前面が保護パネル２５によって全体に亘って保護されており、その後面が液晶保持板金２８を介して液晶パネル用基板２７に取り付けられている。
【００２１】
この液晶パネル用基板２７は、液晶パネル２６と対向する面に基板パターン（図示せず）が形成されている。また、画像表示部２０の先端部２０ａに位置する部分であって、液晶パネル用基板２７の先端部２７ａは、図５に示すように、液晶パネル２６の先端部２６ａよりも前側に突出する態様で形成されており、この液晶パネル用基板の先端部２７ａには、通信用のパターンアンテナ１１０（通信用アンテナ）が設けられている。ここで、本実施例でいうパターンアンテナとは、液晶パネル用基板２７に形成された液晶回路又はその他の回路を構成する基板パターンに、このパターンの一部として設けられるアンテナのことをいう。
【００２２】
このパターンアンテナ１１０の基板パターンは、液晶パネル用基板２７上に設けられた他の基板パターンと接続されている。この基板パターンは、図示しないコネクタ装置によって装置本体部１０内の情報通信機器（図示せず）と電気的に接続されている。これにより、パターンアンテナ１１０で送受信された信号は、装置本体部１０内の情報通信機器（図示せず）に到達するようになっている。また、ブルートゥースのような双方向通信の場合には、情報通信機器からの信号がこのパターンアンテナ１１０へ送られることになる。
【００２３】
この液晶パネル用基板２７は、画像表示部２０が装置本体部１０に収納された状態で、図５に示すように、上側に位置する背面板２２と対峙する位置に配置される。また、上述した背面板２２の先端部２２ａに形成した切り欠き１００は、パターンアンテナ１１０の設置投影面積よりも大きく形成されている。すなわち、切り欠き１００の図５に示す紙面左右方向、および紙面奥行き方向のいずれの寸法も、パターンアンテナ１１０の寸法よりも大きく形成されており、パターンアンテナ１１０の上側の全体が、金属製の背面板２２で覆われないようになっている。
【００２４】
図６は、図４に示す操作パネル３０の拡大断面図である。なお、操作ボタン３１と引き出しボタン３３は、いずれも同じ構成を有しているので、以下の説明では操作ボタン３１について説明し、引き出しボタン３３の説明を省略する。
操作パネル３０は、操作ボタン３１と、この操作ボタン３１とほぼ面一に形成された前側筐体部３４と、導光板３５と、後側筐体部３６とで構成されており、これらの部品は、全て樹脂等の非金属材料で形成されている。すなわち、これらの前側筐体部３４及び後側筐体部３６は、パターンアンテナ１１０より下側に位置する部分から金属製部品を排除するために設けられたものであり、図４に示すように、操作ボタン３１の操作によって接点がＯＮ／ＯＦＦする金属製の接触端子１２０等は、上側から見たパターンアンテナ１１０の投影部（パターンアンテナ１１０の装置本体部１０側の端部の投影線を図４及び図６に仮想線Ｘとして示す）よりも装置本体部１０側に配置されている。
【００２５】
この操作ボタン３１は、図６に示すように、利用者が操作をするために押圧する操作部３１ａと、この操作部３１ａから装置本体部１０側に延びるアーム部３１ｂとで断面略Ｔ字形状に形成されており、これらは一体に成形されている。この操作ボタン３１は、前側筐体部３４の前面に形成された操作用穴部３４ａから操作部３１ａが表出しており、この操作部３１ａの前面と前側筐体部３４の前面とがほぼ面一になるように配置している。この操作ボタン３１の押圧方向への移動は、前側筐体部３４に設けられた図示しないガイド部によって案内されている。また、後側筐体部３６には、アーム部３１ｂと対応する位置に、このアーム部３１ｂが装置本体部１０に向けて突出してアーム部３１ｂが接触端子１２０と接触可能にする接触用孔部３６ｂが形成されている。
【００２６】
本発明の実施の形態に係る車載用情報機器によれば、前面に操作パネル３０が取り付けられた装置本体部１０と、この装置本体部１０の前面から画面を下側にして引き出し可能に収納され、引き出した後に画面を起こして使用される画像表示部２０とを備える一方、外部と通信可能な情報通信機器を備え、画像表示部２０の引き出し方向の先端部２０ａであって、液晶パネル用基板２７の先端部２７ａに情報通信機器用のパターンアンテナ１１０を設けているので、画像表示部２０を引き出した状態であっても収納した状態であってもパターンアンテナ１１０が車室内に向けられるようになる。そのため、画像表示部２０を収納したとき（車載用情報機器１を使用していないとき）であっても車載用情報機器１の受信感度を維持することができ、近距離通信の通信品質を良好に保つことができる。
また、操作パネル３０の操作面にアンテナを設けることがないので、操作パネル３０の意匠性を損なうことがない。
【００２７】
また、液晶パネル用基板２７上にパターンアンテナ１１０を設けているので、別途アンテナ及びアンテナ装着用の部品を設ける必要がない。そのため、これらの部品添数を削減することができ、部品コスト及び組み立てコストを低減することができる。
さらに、通信用アンテナをパターンアンテナ１１０で構成することにより、アンテナを設けるスペースが不要となるので、スペースを有効利用することによる設計自由度が高められる。また、このスペースをなくすことにより、画像表示部２０の小型化、ひいては装置全体の小型化を図ることができる。
【００２８】
また、画像表示部２０には、この画像表示部２０の背面側を上側に向けた状態でパターンアンテナ１１０の上方を覆う板金製の背面板２２が設けられ、この背面板２２には、パターンアンテナの設置投影面積よりも大きな切り欠き１００が形成されているので、画像表示部２０の構造強度を背面板２２で確保しつつ、パターンアンテナ１１０の上方に金属製部品が存在しないようにすることができる。これにより、パターンアンテナ１１０の背面板２２側から入出力される無線通信の電波が、金属部材である背面板２２によって遮られて通信に影響を及ぼすことがない。その結果、通信品質を良好に維持することができる。
【００２９】
さらに、操作パネル３０の操作ボタン３１及び引き出しボタン３３を非金属材料で形成し、パターンアンテナ１１０より下側に位置する金属製の接触端子１２０などを、上側から見たパターンアンテナ１１０の投影部（パターンアンテナ１１０の装置本体部１０側の端部の投影線を図４及び図６に仮想線Ｘとして示す）よりも装置本体部１０側に配置しているので、パターンアンテナ１１０の下方に金属製部品が存在しないようにすることができる。これにより、パターンアンテナ１１０の操作パネル３０側から入出力される無線通信の電波が、金属部材である接触端子１２０等によって遮られて通信に影響を及ぼすことがない。その結果、通信品質を良好に維持することができる。
【００３０】
以上、本発明を実施するための最良の形態について述べたが、本発明は既述の実施形態に限定されるものではなく、本発明の技術思想に基づいて各種の変形および変更が可能である。
例えば、本実施の形態では、通信情報機器の一例として、ブルートゥースを利用してハンズフリー通話をするものを説明したが、例えば、ノート型パソコンなどの電子情報機器とブルートゥースを用いて双方向にデータを送受信したりするものであってもかまわない。また、ブルートゥース以外の通信技術を用いて送受信する機器であってもかまわない。すなわち、これら他の通信技術であっても、画像表示部２０の先端部２０ａにパターンアンテナ１１０を構成することができるものであれば、本発明に使用することができる。
【００３１】
また、本実施の形態では、背面板２２以外の部品で画像表示部２０の構造強度を確保することができる場合には、背面板２２に切り欠きを設けずとも構成することができる。これらの様な構成であっても、画像表示部２０側にパターンアンテナ１１０を搭載し、この画像表示部２０が装置本体部１０に収納された状態であっても、引き出した状態と同等の受信感度を維持することができる。
【図面の簡単な説明】
【００３２】
【図１】本発明の実施の形態に係る車載用情報機器の全体斜視図である。
【図２】図１の状態から画像表示部を手前側に引き出して立ち上げた状態を示す斜視図である。
【図３】車載用情報機器の正面図である。
【図４】図３のＡ−Ａ断面であって、車載用音響機器の前側部分の断面図である。
【図５】図４に示す画像表示部の先端部２０ａの拡大断面図である。
【図６】図４に示す操作パネル３０の拡大断面図である。
【符号の説明】
【００３３】
１  車載用情報機器
１０  装置本体部
２０  画像表示部
２０ａ  先端部
２１  液晶表示画面
２２  背面板
２２ａ  先端部
２３  前面パネル
２４  側面パネル
２５  保護パネル
２６  液晶パネル
２７  液晶パネル用基板
２７ａ  先端部
２８  液晶保持板金
３０  操作パネル
３１  操作ボタン
３１ａ  操作部
３１ｂ  アーム部
３２  ディスク挿入口
３３  引き出しボタン
３４  前側筐体部
３４ａ  操作用孔部
３５  導光板
３６  後側筐体部
３６ｂ  接触用孔部
４０  化粧パネル
１００  切り欠き
１１０  パターンアンテナ（通信用アンテナ）
１２０  接触端子
Ａ  矢印
Ｐ  インストルメントパネル
Ｑ  取付開口部
【図１】
2009119916.tif 000003
【図２】
2009119916.tif 000004
【図３】
2009119916.tif 000005
【図４】
2009119916.tif 000006
【図５】
2009119916.tif 000007
【図６】
2009119916.tif 000008